(57)【要約】【課題】携帯用電子機器、および、ディスプレイモジュールのイメージを制御する方法を提供する。【解決手段】本発明は、携帯用電子機器を提供し、携帯用電子機器は、第一ディスプレイモジュール、第二ディスプレイモジュール、キーボード装置、感知ユニット、および、制御ユニットを有する。第二ディスプレイモジュールは、枢動可能な方式で、第一ディスプレイモジュールに接続される。感知ユニットが設置されて、第二ディスプレイモジュールに相対するキーボード装置の一位置を感知して、感知信号を出力する。制御ユニットが設置されて、感知信号に従って、第二ディスプレイモジュールのイメージを制御する。【選択図】図１
2020030790.tif 000002
【特許請求の範囲】
【請求項１】
携帯用電子機器であって、
第一ディスプレイモジュールと、
枢動可能な方式で、前記第一ディスプレイモジュールに接続される第二ディスプレイモジュールと、 
キーボード装置と、 
前記第二ディスプレイモジュールに相対する前記キーボード装置の一位置を感知して、感知信号を出力する感知ユニット、および、 
前記感知信号に従って、前記第二ディスプレイモジュールのディスプレイイメージを制御する制御ユニット、
を有することを特徴とする携帯用電子機器。
【請求項２】
前記第二ディスプレイモジュールは、さらに、
内側を有するハウジングと、
前記ハウジング中に設置され、前記キーボード装置により移動されるスライディングモジュールと、
前記ハウジング中の異なる位置で、前記スライディングモジュールを配置させる位置決めアセンブリと、を有し、
前記スライディングモジュールは、
前記ハウジング中に設置されるとともに、前記内側に平行なスライディングトラック、および、
前記スライディングトラック上に設置され、前記スライディングトラックに沿ってスライドするスライディング素子、
を有することを特徴とする請求項１に記載の携帯用電子機器。 
【請求項３】
さらに、前記キーボード装置と前記スライディングモジュールの相対的位置を制限する制限構造を有することを特徴とする請求項２に記載の携帯用電子機器。 
【請求項４】
ディスプレイモジュールのイメージを制御する方法であって、第一ディスプレイモジュール、および、第二ディスプレイモジュールを有する携帯用電子機器に適用され、前記方法は、
感知ユニットにより、前記第二ディスプレイモジュールの相対するキーボード装置の一位置を感知して、感知信号を出力する工程と、
制御ユニットにより、前記感知信号に従って、前記キーボード装置が、前記第二ディスプレイモジュール上にあるか否か判断する工程と、 
前記制御ユニットが、前記キーボード装置が、前記第二ディスプレイモジュールにあると判断したことに応答して、前記制御ユニットが、前記第二ディスプレイモジュールのディスプレイイメージを制御する工程と、
を有することを特徴する方法。 
【請求項５】
前記制御ユニットが、前記第二ディスプレイモジュールの前記ディスプレイイメージを制御する前記工程は、さらに、
前記制御ユニットが、前記感知信号に従って、前記キーボード装置が前記第二ディスプレイモジュール上の第一位置にあると判断したことに応答して、前記制御ユニットが、前記携帯用電子機器の前記第一ディスプレイモジュール、および、前記第二ディスプレイモジュールを制御して、イメージを共同で表示する工程と、
前記制御ユニットが、前記感知信号に従って、前記キーボード装置が前記第二ディスプレイモジュール上の第二位置にあると判断したことに応答して、前記制御ユニットが、前記第二ディスプレイモジュールの第一部分を制御して、複数のタッチアイコンを表示するとともに、前記第二ディスプレイモジュールの第二部分を制御して、バーチャルタッチパッドを表示する工程、および、
前記制御ユニットが、前記感知信号に従って、前記キーボード装置が前記第二ディスプレイモジュール上の第三位置にあると判断したことに応答して、前記制御ユニットが、前記第二ディスプレイモジュールを制御して、手書きインターフェースを表示する工程、
を有することを特徴とする請求項４に記載のディスプレイモジュールのイメージを制御する方法。
【発明の詳細な説明】
【技術分野】
【０００１】
本発明は、携帯用電子機器に関するものであって、特に、二個のディスプレイスクリーンを有する携帯用電子機器に関するものである。
【背景技術】
【０００２】
現代の社会において、コンピュータ関連の電子装置は、すでに、人々の生活に不可欠な電子製品になっている。たとえば、スマートフォン、タブレット型コンピュータ、デスクトップコンピュータ、および、ノート型パソコンは、非常に人気の製品である。それらの中で、ノート型パソコンは、今日の消費者製品中で、最も普及している。ユーザーは、ノート型パソコン上で各種アプリケーションを実行して、各種目的、たとえば、ビデオを観る、ゲームする、インターネットをブラウズする、電子書籍を読んだり、その他の機能を実行する。
【０００３】
一般に、製品設計の方向性によると、ノート型パソコンは、ドキュメント型ノート型パソコン、ゲーム型ノート型パソコン、あるいは、タッチ型ノート型パソコンに分類される。ユーザーは、個々の実際の目的に応じて、特定のタイプのノート型パソコンを購買する。しかし、今日のノート型パソコンは、依然として、ユーザーの各種ニーズに符合しないいくつかの側面がある。
【０００４】
これにより、どのように、ユーザーの各種ニーズに符合する携帯用電子機器を設計するかが、討論、および、解決を必要とする現今の問題である。
【先行技術文献】
【特許文献】
【０００５】
【特許文献１】特開２０１３−０８９２５７号公報
【発明の概要】
【発明が解決しようとする課題】
【０００６】
本発明は、上述の問題を解決する携帯用電子機器を提供することを目的とする。
【課題を解決するための手段】
【０００７】
本発明のいくつかの実施形態によると、携帯用電子機器が提供される。携帯用電子機器は、第一ディスプレイモジュール、第二ディスプレイモジュール、キーボード装置、感知ユニット、および、制御ユニットを有する。第二ディスプレイモジュールは、枢動可能な方式で、第一ディスプレイモジュールに接続される。感知ユニットが設置されて、第二ディスプレイモジュールに相対するキーボード装置の一位置を感知して、感知信号を出力する。制御ユニットが設置されて、 感知信号に従って、第二ディスプレイモジュールのイメージを制御する。
【０００８】
いくつかの実施形態によると、第二ディスプレイモジュールは、さらに、ハウジング、および、スライディングモジュールを有する。ハウジングは内側を有する。スライディングモジュールは、ハウジング中に設置され、キーボード装置が設置されて、スライディングモジュールを移動させる。
【０００９】
いくつかの実施形態によると、スライディングモジュールは、スライディングトラック、および、スライディング素子を有する。スライディングトラックは、ハウジング上に設置されるとともに、内側に平行である。スライディング素子は、スライディングトラック上に設置され、且つ、スライディング素子が設置されて、スライディングトラックに沿ってスライドする。
【００１０】
いくつかの実施形態によると、第二ディスプレイモジュールは、さらに、ハウジング中の異なる位置で、スライディングモジュールを配置させる位置決めアセンブリを有する。
【００１１】
いくつかの実施形態によると、携帯用電子機器は、さらに、キーボード装置とスライディングモジュールの相対的位置を制限する制限構造を有する。
【００１２】
いくつかの実施形態によると、制限構造は、第一磁石、および、第二磁石を有する。第一磁石は、スライディングモジュール上に設置される。第二磁石は第一磁石に対応するとともに、キーボード装置上に設置されて、磁気引力を生成し、キーボード装置とスライディングモジュールの相対的位置を制限する。
【００１３】
いくつかの実施形態によると、第二ディスプレイモジュールは、さらに、位置決めアセンブリを有し、位置決めアセンブリは、第三磁石、および、第四磁石を有する。第三磁石は、スライディングモジュール上に設置される。第四磁石は、内側上に設置され、第三磁石と第四磁石間で形成される磁気引力は、第一磁石と第二磁石間で形成される磁気引力より弱い。
【００１４】
いくつかの実施形態によると、感知ユニットは、少なくとも三個の位置検出素子、および、被検出素子を有する。三個の位置検出素子は、第二ディスプレイモジュール中の異なる位置に設置される。被検出素子は、キーボード装置上に設置される。位置検出素子が設置されて、被検出素子を感知して、感知信号を出力する。
【００１５】
いくつかの実施形態によると、位置検出素子は、第二ディスプレイモジュール内側に平行な方向に沿って並べられるとともに、２個の隣接する位置検出素子間の距離は、別の２個の隣接する位置検出素子間の距離と等しい。
【００１６】
いくつかの実施形態によると、感知ユニットは、光センサー、熱センサー、超音波センサー、あるいは、赤外線感知器を有する。
【００１７】
本発明のいくつかの実施形態によると、ディスプレイモジュールのイメージを制御する方法が提供される。本方法は、第一ディスプレイモジュール、および、第二ディスプレイモジュールを有する携帯用電子機器に適用され、本方法は、感知ユニットにより、第二ディスプレイモジュールに相対するキーボードの位置を感知して、感知信号を出力する工程と、制御ユニットにより、感知信号に従って、キーボード装置が第二ディスプレイモジュール上に位置するか否かを判断する工程と、制御ユニットが、キーボード装置が第二ディスプレイモジュールにあると判断したことに応答して、制御ユニットが、第二ディスプレイモジュールのイメージを制御する工程、を有する。
【００１８】
いくつかの実施形態によると、制御ユニットが、第二ディスプレイモジュールのディスプレイイメージを制御する工程は、さらに、制御ユニットが、感知信号に従って、キーボード装置が、第二ディスプレイモジュールの第一位置にあると判断したことに応答して、制御ユニットが、携帯用電子機器の第一ディスプレイモジュール、および、第二ディスプレイモジュールを制御して、イメージを共同で表示する。
【００１９】
いくつかの実施形態によると、制御ユニットが、第二ディスプレイモジュールのディスプレイイメージを制御する工程は、さらに、制御ユニットが、感知信号に従って、キーボード装置が、第二ディスプレイモジュール上の第二位置にあると判断したことに応答して、制御ユニットは、第二ディスプレイモジュールの第一部分を制御して、複数のタッチアイコンを表示するとともに、第二ディスプレイモジュールの第二部分を制御して、バーチャルタッチパッドを表示する工程を有する。
【００２０】
いくつかの実施形態によると、本方法は、さらに、制御ユニットにより、第二ディスプレイモジュールのバーチャルタッチパッドが、タッチ入力を受信するか否か判断する工程と、バーチャルタッチパッドがタッチ入力を受信したのに応答して、制御ユニットは、タッチ入力にしたがって、バーチャルタッチパッド上のタッチ入力のタッチ変位を得る工程、および、制御ユニットにより、携帯用電子機器の第一ディスプレイモジュールを制御して、タッチ変位にしたがって、ディスプレイイメージ、および、カーソルを表示するとともに、カーソルを制御して、ディスプレイイメージ上で、対応変位で移動する。
【００２１】
いくつかの実施形態によると、制御ユニットが、第二ディスプレイモジュールのディスプレイイメージを制御する工程は、さらに、制御ユニットが、感知信号に従って、キーボード装置が、第二ディスプレイモジュールの第三位置にあると判断したことに応答して、制御ユニットが、第二ディスプレイモジュールを制御して、手書きインターフェースを表示する工程を有する。
【００２２】
いくつかの実施形態によると、制御ユニットが、第二ディスプレイモジュールのディスプレイイメージを制御する工程は、さらに、制御ユニットが、感知信号に従って、キーボード装置が、携帯用電子機器の第一ディスプレイモジュール、および、第二ディスプレイモジュールの外にあると判断したことに応答して、制御ユニットは、第一ディスプレイモジュールを制御するとともに、第一イメージを表示し、第二ディスプレイモジュールを制御して、第二イメージを表示する工程を有する。
【００２３】
いくつかの実施形態によると、本方法は、さらに、制御ユニットにより、携帯用電子機器の第一ディスプレイモジュールを制御して、ディスプレイイメージ、および、カーソルを表示するとともに、制御ユニットにより、カーソルの動きを可動範囲内に制限する工程を有する。
【００２４】
いくつかの実施形態によると、可動範囲は、第一ディスプレイモジュールのディスプレイイメージの範囲として定義される。
【００２５】
いくつかの実施形態によると、カーソルを可動範囲内で制限する工程は、さらに、携帯用電子機器が第三ディスプレイモジュールに接続されることに応答して、制御ユニットが、第一ディスプレイモジュール、および、第三ディスプレイモジュールを制御して、イメージを共同で表示するとともに、可動範囲はイメージの範囲として定義される工程を有する。
【００２６】
本発明のいくつかの実施形態によると、携帯用電子機器が提供され、携帯用電子機器は、ディスプレイモジュール、キーボード装置、感知ユニット、および、制御ユニットを有する。感知ユニットが設置されて、ディスプレイモジュールに相対するキーボードの位置を感知して、感知信号を出力する。制御ユニットが設置されて、感知信号に従って、ディスプレイモジュールのディスプレイイメージを制御する。
【００２７】
本発明は、二個のディスプレイスクリーンを有する携帯用電子機器を提供し、携帯用電子機器は、第一ディスプレイモジュール、第二ディスプレイモジュール、キーボード装置、感知ユニット、および、制御ユニットを有する。本発明のいくつかの実施形態において、感知ユニットは、第二ディスプレイモジュールに相対するキーボードの位置を感知して、感知信号を出力する。制御ユニットは、その後、感知信号にしたがって、第二ディスプレイモジュールのディスプレイイメージを制御する。その結果、キーボード装置が異なる位置にあるとき、ユーザーに異なる使用モードを提供して、ユーザーの要求に符合させる。
【００２８】
いくつかの実施形態において、キーボード装置が、第二ディスプレイモジュール上の第一位置にあるとき、制御ユニットは、第二ディスプレイスクリーンの上方部分を制御して、第一ディスプレイスクリーンの延長スクリーンとなる。いくつかの実施形態において、キーボード装置が、第二ディスプレイモジュール上の第二位置にあるとき、制御ユニットは、第二ディスプレイスクリーンの上方部分を制御して、複数のタッチアイコンを表示するとともに、第二ディスプレイスクリーンの下方部分を制御して、ユーザーがカーソルを制御できるバーチャルタッチパッドを表示する。さらに、いくつかの実施形態において、キーボード装置が、第二ディスプレイモジュール上の第三位置にあるとき、制御ユニットは、第二ディスプレイスクリーンの下方部分を制御して、ユーザーが書いたり、描いたりすることができる手書きインターフェースを表示する。
【００２９】
本発明の上述の、およびその他の長所と特徴を得る方式を記述するため、前述の簡単に描写された原理は、更に具体的に、図面で示される具体的な実施形態により説明する。これらの図面は、本発明の例を示すものであり、本発明を限定するものではないことを理解すべきである。本発明の原理は、図面の描写、および、付加された特徴と詳細の解釈によって説明される。
【発明の効果】
【００３０】
携帯用電子機器の製造コストが減少し、携帯用電子機器１内側の可用な機械的空間が増加する。
【図面の簡単な説明】
【００３１】
本発明の態様は以下の詳細な記述と添付図面により理解することができる。注意すべきことは、産業の標準的技法において、各種特徴は、図面において必ずしも、寸法通り描かれておらず、且つある部分の比率は拡大縮小されることにより、詳細と特徴をさらに説明しており、発明の実施形態の範囲を制限するものではない。
【図１】本発明の一実施形態による携帯用電子機器の立体図である。
【図２】本発明の実施形態による携帯用電子機器のブロック図である。
【図３】本発明の実施形態による第二ディスプレイモジュール、および、キーボード装置を示す図である。
【図４】本発明の実施形態による図３の領域Ａの部分拡大図である。
【図５】本発明の実施形態によるキーボード装置が、第二ディスプレイモジュール上の第二位置にあることを説明する図である。
【図６】本発明の実施形態によるキーボード装置が、第二ディスプレイモジュール上の第三位置に位置することを説明する図である。
【図７】本発明の一実施形態による第一位置のキーボード装置の使用状態を示す図である。
【図８】本発明の一実施形態による第二位置のキーボード装置の使用状態を示す図である。
【図９】本発明の一実施形態による第三位置のキーボード装置の使用状態を示す図である。
【図１０】本発明の一実施形態によるキーボード装置が第二ディスプレイモジュールの外側にあるときのキーボード装置の使用状態を説明する図である。
【図１１】本発明の別の実施形態によるキーボード装置が第二ディスプレイモジュールの外側にあるときのキーボード装置の使用状態を説明する図（その１）である。
【図１２】本発明の別の実施形態によるキーボード装置が第二ディスプレイモジュールの外側にあるときのキーボード装置の使用状態を説明する図（その２）である。
【図１３】本発明の一実施形態によるディスプレイモジュールのイメージを制御する方法のフローチャートである。
【図１４】本発明の一実施形態による携帯用電子機器のディスプレイスクリーンを制御するフローチャートである。
【図１５】本発明の一実施形態によるカーソルを制御するフローチャートである。
【図１６】本発明の別の実施形態による携帯用電子機器の立体図である。
【発明を実施するための形態】
【００３２】
以下の詳細な記述において、説明の目的のため、いくつかの特定の詳細、および、実施形態が説明されて、本発明の十分な理解を提供する。以下の詳細な記述で記述される特定の素子と配置が説明されて、本発明をはっきりと記述する。しかし、理解できることは、ここで説明される例示的実施形態は、説明の目的のためだけに用いられ、且つ、発明概念は各種形式で具体化され、例示的実施形態に制限されない。このほか、異なる実施形態の図面は、類似、および／または、対応する符号を用いて、類似、および／または、対応する素子を示して、本発明をはっきりと記述する。しかし、異なる実施形態の図面中の類似、および／または、対応する符号の使用は、異なる実施形態間の任意の相互関係を提案するものではない。方向を示す用語、たとえば、 「上」、「下」、「左」、 「右」、「前」 や 「後」は、添付画面の基準方向である。これにより、方向を示す用語の使用は記述のためであり、本発明を制限するものではない。 
【００３３】
この明細書において、相対表現が用いられる。たとえば、 「下」、「下方」、 「高」 や 「上方」が用いられて、一素子ともう一素子に対する位置を記述する。注意すべきことは、一装置が上下逆である場合、 「下方」側の素子は「上方」側の素子になる。
【００３４】
用語「約」 と 「実質上」は、通常、規定値の +/- 20% 、さらに特に、規定値の +/- 10% 内、且つ、さらに好ましくは、規定値の+/- 5% である。本発明の規定値は近似値である。特定の記述がないとき、規定値は、「約」 や 「実質上」の意味を含む。
【００３５】
図１、および、図２を参照する。図１は、本発明の一実施形態による携帯用電子機器１００の立体図で、図２は、本発明の実施形態による携帯用電子機器１００のブロック図である。この実施形態において、携帯用電子機器１００は、タッチ型ノート型パソコンで、第一ディスプレイモジュール１０２、第二ディスプレイモジュール１０４、キーボード装置１０６、感知ユニット１０８、および、制御ユニット１１０を有する。この実施形態において、第一ディスプレイモジュール１０２と第二ディスプレイモジュール１０４はどちらも、タッチ型ディスプレイモジュールであるが、この限りではない。第一ディスプレイモジュール１０２は、回転軸１０５により、第二ディスプレイモジュール１０４に接続されて、第一ディスプレイモジュール１０２は、第二ディスプレイモジュール１０４に対して回転する。
【００３６】
この実施形態において、キーボード装置１０６は、第二ディスプレイモジュール１０４の第二ディスプレイスクリーン１０４１上に設置されるとともに、第二ディスプレイスクリーン１０４１で移動することができる。さらに、感知ユニット１０８は、複数の位置検出素子、および、被検出素子を有する。位置検出素子が、第二ディスプレイモジュール１０４内側に設置されるとともに、被検出素子が、キーボード装置１０６上に設置される。感知ユニット１０８の位置検出素子が設置されて、第二ディスプレイモジュール１０４に相対するキーボード１０６の位置を感知して、感知信号を出力する。
【００３７】
次に、制御ユニット１１０は、得られた感知信号にしたがって、第一ディスプレイモジュール１０２の第一ディスプレイスクリーン１０２１、および、第二ディスプレイモジュール１０４の第二ディスプレイスクリーン１０４１のディスプレイイメージを制御することができる。この実施形態において、制御ユニット１１０は、携帯用電子機器１００の操作を制御する中央処理装置(ＣＰＵ)である。中央処理装置は、オペレーティングシステム (ＯＳ)、プログラム、ユーザーグラフィカルインターフェース(ＧＵＩ)、ソフトウェア、モジュール、アプリケーション、および、携帯用電子機器１００のその他の機能を実行するのに必要とされる処理能力を提供する。
【００３８】
中央処理装置は、単一のプロセッサを有する、あるいは、複数のプロセッサを有する。たとえば、中央処理装置は、汎用のマイクロプロセッサ、汎用と特殊目的のマイクロプロセッサ組み合わせ、たとえば、命令セットプロセッサ(instruction-set processors)、グラフィックプロセッサ、ビデオプロセッサ、オーディオプロセッサ、および、特殊目的のマイクロプロセッサ、および／または、関連するチップセットを有する。このほか、いくつかの実施形態において、制御ユニット１１０は、組込コントローラーでもよい。
【００３９】
このほか、図２に示されるように、携帯用電子機器１００は、さらに、ストレージデバイス１１２を有する。ストレージデバイス１１２は、不揮発性メモリ、たとえば、リードオンリメモリ、フラッシュメモリ、ハードドライブ、あるいは、その他の任意の適切な光学、磁気、あるいは、ソリッドステートコンピュータ可読媒体、それらの組み合わせである。ストレージデバイス１１２は、制御ユニット１１０のオペレーティングシステム、および、複数のアプリケーションを保存して、オペレーティングシステム、および、要求されたアプリケーションを実行する。
【００４０】
図３、および、図４を参照する。図３は、本発明の実施形態による第二ディスプレイモジュール１０４、および、キーボード装置１０６の立体図で、図４は、本発明の実施形態による図３の領域Ａの部分拡大図である。第二ディスプレイモジュール１０４の内部構造をはっきりと示すために、図３と図４では、第二ディスプレイスクリーン１０４１が省略されている。
【００４１】
図３に示されるように、第二ディスプレイモジュール１０４は、ハウジング１０４３、および、スライディングモジュール１１４を有する。ハウジング１０４３は、二個の反対内側１０４Ｓを有し、スライディングモジュール１１４は、ハウジング１０４３中に設置されるとともに、内側１０４Ｓに隣接する。この実施形態において、キーボード装置１０６は、スライディングモジュール１１４を、Ｙ軸方向に沿って移動させる。
【００４２】
この実施形態において、スライディングモジュール１１４は、二個のスライディングトラック１１６、および、二個のスライディング素子１１８を有する。しかし、スライディングトラック１１６、および、スライディング素子１１８の数量は、この実施形態に制限されない。スライディングトラック１１６は、ハウジング１０４３中に設置されるとともに、内側１０４Ｓに平行である。このほか、２個のスライディング素子１１８は、それぞれ、スライディングトラック１１６上に設置されて、スライディング素子１１８が、二個のスライディングトラック１１６に沿ってスライドする。このほか、スライディング素子１１８は、接続部分１１８１、および、二個のスライディング部分１１８３を有し、二個のスライディング部分１１８３は、接続部分１１８１により互いに接続される。注意すべきことは、いくつかの実施形態において、スライディング素子１１８は、わずか一個のスライディング部分１１８３を有する。
【００４３】
さらに、携帯用電子機器１００は、さらに、キーボード装置１０６とスライディングモジュール１１４の相対的位置を制限する制限構造を有する。特に、この実施形態において、制限構造１２０は、４個の第一磁石１２０２、および、４個の第二磁石１２０４を有する。第一磁石１２０２は、スライディングモジュール１１４のスライディング素子１１８上に設置される。第二磁石１２０４は第一磁石１２０２に対応するとともに、キーボード装置１０６の底表面上に設置される。
【００４４】
キーボード装置１０６が、第二ディスプレイモジュール１０４上に位置するとき、第一磁石１２０２、および、第二磁石１２０４が、磁気引力を生成して、キーボード装置１０６とスライディングモジュール１１４の相対位置を制限する。つまり、キーボード装置１０６は、スライディングモジュール１１４上の第一位置に取り付けられ (図３)、キーボード装置１０６は、スライディングモジュール１１４を、Ｙ軸方向に移動させる。注意すべきことは、制限構造１２０中の第一磁石１２０２と第二磁石１２０４の数量は、この実施形態に制限されないことである。
【００４５】
このほか、別の実施形態において、制限構造１２０は、さらに、それぞれ、キーボード装置１０６、および、スライディングモジュール１１４に設置される係合スロット、および、係合素子を有して、キーボード装置１０６が、スライディングモジュール１１４に接続される。制限構造１２０は、第一磁石１２０２、第二磁石１２０４、係合スロット、あるいは、係合素子に限定されず、且つ、キーボード装置１０６とスライディングモジュール１１４の相対的位置を制限する任意の構造、あるいは、部品であれば、本発明の範囲に含まれる。
【００４６】
さらに、図４に示されるように、第二ディスプレイモジュール１０４は、さらに、ハウジング１０４３中の異なる位置で、スライディングモジュール１１４を配置させる位置決めアセンブリ１２２を有する。特に、位置決めアセンブリ１２２は、複数の第三磁石１２２２、および、複数の第四磁石を有する。第三磁石１２２２は、スライディング部分１１８３上に設置され、第四磁石は、内側１０４Ｓ上に設置される。この実施形態において、位置決めアセンブリ１２２は、五個の第四磁石１２２４、および、五個の第四磁石１２２６を有する。第四磁石１２２４、および、第四磁石１２２６は、それぞれ、二個の内側１０４Ｓに設置される。 
【００４７】
キーボード装置１０６が、第二ディスプレイモジュール１０４上に設置され、且つ、Ｙ軸方向に沿って、駆動力が提供されるとき、図４に示されるように、スライディング部分１１８３上の第三磁石１２２２が、第四磁石１２４４から分離されて、キーボード装置１０６が、二個のスライディング素子１１８をＹ軸方向に移動させて、図５に示される位置に到達する。図５は、本発明の実施形態によるキーボード装置１０６が、第二ディスプレイモジュール１０４上の第二位置に位置することを説明する図である。スライディング素子１１８が第二位置に移動するとき、スライディング素子１１８上の第三磁石１２２２が、対応する二個の第四磁石１２２４、および、二個の第四磁石１２２６により引き付けられて、第二位置で固定される。
【００４８】
さらに、キーボード装置１０６が、Ｙ軸方向に駆動力を提供し続けるとき、キーボード装置１０６は、さらに、二個のスライディング素子１１８を移動させて、図６中に示される位置に到達させる。図６は、本発明の実施形態によるキーボード装置１０６が、第二ディスプレイモジュール１０４上の第三位置に位置することを説明する図である。注意すべきことは、この実施形態において、第三磁石１２２２と第四磁石１２２４、１２２６間で形成される磁気引力が、第一磁石１２０２と第二磁石１２０４間で形成される磁気引力より弱いので、キーボード装置１０６は、移動期間中、第二ディスプレイモジュール１０４から分離しないよう確保されることである。
【００４９】
さらに、図３、図５、および、図６に示されるように、感知ユニット１０８は、３個の位置検出素子１０８１、１０８２、１０８３、および、被検出素子１０８５を有する。位置検出素子１０８１、１０８２、および、１０８３は、第二ディスプレイモジュール１０４中の異なる位置に設置され、被検出素子１０８５は、キーボード装置１０６の底表面に設置される。これらの位置検出素子は、第二ディスプレイモジュール１０４の内側１０４Ｓに平行な一方向(Ｙ軸方向)に沿って並べられ、２個の隣接する位置検出素子間の距離は等しい。これらの位置検出素子が設置されて、キーボード装置１０６の位置を感知して、上述の感知信号を出力する。たとえば、図６に示されるように、キーボード装置１０６が第三位置に移動するとき、位置検出素子１０８３は被検出素子１０８５を検出するとともに、感知信号を制御ユニット１１０に出力する。
【００５０】
この実施形態において、位置検出素子１０８１、１０８２、および、１０８３はホールセンサー、被検出素子１０８５はホール磁石であるが、この実施形態に限定されない。たとえば、感知ユニット１０８中の検出素子は、さらに、光センサー、熱センサー、超音波センサー、あるいは、赤外線感知器を有する。
【００５１】
このほか、注意すべきことは、位置検出素子１０８１、１０８２、および、１０８３は、さらに、第四磁石１２２４、あるいは、第四磁石１２２６と整合され、第三磁石１２２２は被検出素子となることである。このとき、位置検出素子と第四磁石間の相対運動がないので、位置検出素子は、第四磁石の磁場変化を感知しないが、第三磁石１２２２の磁場変化を感知することができる。この配置に基づいて、携帯用電子機器１００の製造コストが減少するともに、携帯用電子機器１００内側の可用な機械的空間が増加する。
【００５２】
図７は、本発明の一実施形態による第一位置のキーボード装置の使用状態１０６を説明する図である。図７に示されるように、制御ユニット１１０が、感知ユニット１０８からの感知信号に従って、キーボード装置１０６が第二ディスプレイモジュール１０４上の第一位置にあると判断するとき、制御ユニット１１０は、第二ディスプレイモジュール１０４の第二ディスプレイスクリーン１０４１を制御して、特定のイメージを表示する。たとえば、制御ユニット１１０は、第二ディスプレイスクリーン１０４１の上方部分、および、第一ディスプレイモジュール１０２の第一ディスプレイスクリーン１０２１を制御して、イメージを共同で表示する。つまり、第二ディスプレイスクリーン１０４１の上方部分は、第一ディスプレイスクリーン１０２１の延長スクリーンとなる。
【００５３】
さらに、制御ユニット１１０は、さらに、第二ディスプレイスクリーン１０４１を制御して、別のイメージを表示することができる。たとえば、制御ユニット１１０は、第二ディスプレイスクリーン１０４１の上方部分を制御して、ユーザーが書いたり、描いたりすることができる手書きインターフェースを表示する。
【００５４】
図８は、本発明の一実施形態による第二位置のキーボード装置の使用状態１０６を説明する図である。図８に示されるように、キーボード装置１０６が、図７の第一位置から第二位置に移動するとき、制御ユニット１１０は、感知ユニット１０８からの感知信号にしたがって、キーボード装置１０６が、第二ディスプレイモジュール１０４上の第二位置に位置すると判断することができる。その後、制御ユニット１１０は、第二ディスプレイモジュール１０４の第二ディスプレイスクリーン１０４１のイメージを変更する。たとえば、制御ユニット１１０は、第二ディスプレイスクリーン１０４１の上方部分(第一部分)を制御して、複数のタッチアイコンを表示して、ユーザーに、タッチや選択を提供し、且つ、制御ユニット１１０は、第二ディスプレイスクリーン１０４１の下方部分(第二部分)を制御して、ユーザーがカーソルＣＳを制御できるようにするバーチャルタッチパッドＴＰを表示する。
【００５５】
この実施形態において、第一ディスプレイスクリーン１０２１上のイメージ(前述で、ディスプレイイメージとも称される)は、第二ディスプレイスクリーン１０４１上で表示されるイメージと異なる。たとえば、オペレーティングシステムのデスクトップは、第一ディスプレイスクリーン１０２１で表示される。
【００５６】
図９は、本発明の一実施形態による第三位置のキーボード装置の使用状態１０６を説明する図である。図９に示されるように、キーボード装置１０６が、図８の第二位置から第三位置に移動するとき、制御ユニット１１０は、感知ユニット１０８からの感知信号にしたがって、キーボード装置１０６が、第二ディスプレイモジュール１０４上の第三位置にあると判断することができる。その後、制御ユニット１１０は、第二ディスプレイモジュール１０４の第二ディスプレイスクリーン１０４１上で表示されるイメージを変更することができる。たとえば、制御ユニット１１０は、第二ディスプレイスクリーン１０４１の下方部分を制御して、ユーザーが書いたり、描いたりすることができる手書きインターフェースを表示する。
【００５７】
図１０は、本発明の一実施形態によるキーボード装置１０６が、第二ディスプレイモジュール１０４外にある時のキーボード装置１０６の使用状態を説明する図である。制御ユニット１１０が、感知信号にしたがって、キーボード装置１０６が、携帯用電子機器１００の第一ディスプレイモジュール１０２、および、第二ディスプレイモジュール１０４の外側に位置すると判断するとき、制御ユニット１１０は、第一ディスプレイスクリーン１０２１を制御して、第一イメージを表示するとともに、第二ディスプレイスクリーン１０４１を制御して、第二イメージを表示する。これにより、ユーザーは、第一ディスプレイモジュール１０２、および、第二ディスプレイモジュール１０４上で異なるアプリケーションを実行することができる。
【００５８】
図１１、および、図１２は、本発明の別の実施形態によるキーボード装置１０６が第二ディスプレイモジュール１０４外側にあるときのキーボード装置１０６の使用状態を説明する図である。図１１に示されるように、キーボード装置１０６は、携帯用電子機器１００外側に設置され、携帯用電子機器１００は展開して、デスクトップ上に配置させることができる。このとき、制御ユニット１１０は、別のセンサー(たとえば、重力センサー)の信号に従って、第一ディスプレイスクリーン１０２１、および、第二ディスプレイスクリーン１０４１を制御して、共同で、イメージを表示する。
【００５９】
このほか、図１２に示されるように、キーボード装置１０６は、携帯用電子機器１００の外側に設置され、携帯用電子機器１００は、横向けにデスクトップ上に設置される。このとき、制御ユニット１１０は、重力センサーの信号にしたがって、第一ディスプレイスクリーン１０２１、および、第二ディスプレイスクリーン１０４１上で表示されるイメージを回転させる。この実施形態において、携帯用電子機器１００は、読み取りモードで操作し、且つ、第一ディスプレイスクリーン１０２１、および、第二ディスプレイスクリーン１０４１上で本やファイルの内容を表示して、ユーザーが読めるようにする。
【００６０】
図１３は、本発明の一実施形態によるディスプレイモジュールのイメージを制御する方法２００のフローチャートである。工程２０２において、感知ユニット１０８は、携帯用電子機器１００の第二ディスプレイモジュール１０４に相対するキーボード装置１０６の位置を感知して、感知信号を出力する。次に、工程２０４において、制御ユニット１１０は、感知信号に従って、キーボード装置１０６が第二ディスプレイモジュール１０４上に位置するか否か判断する。
【００６１】
制御ユニット１１０は、キーボード装置１０６が、第二ディスプレイモジュール１０４上にあると判断するとき、工程２０６が実行され、制御ユニット１１０が、キーボード装置１０６が第二ディスプレイモジュール１０４上にないと判断するとき、工程２０８が実行される。
【００６２】
工程２０６において、制御ユニット１１０が、キーボード装置１０６が、第二ディスプレイモジュール１０４にあると判断したことに応答して、制御ユニット１１０は、第二ディスプレイモジュール１０４のイメージを制御する。たとえば、制御ユニット１１０が、感知信号に従って、キーボード装置１０６が、第二ディスプレイモジュール１０４上の第一位置にあると判断するとき、制御ユニット１１０は、携帯用電子機器１００の第一ディスプレイモジュール１０２、および、第二ディスプレイモジュール１０４を制御して、イメージを共同で表示する。
【００６３】
制御ユニット１１０が、感知信号に従って、キーボード装置１０６が、第二ディスプレイモジュール１０４上の第二位置にあると判断するとき、制御ユニット１１０は、第二ディスプレイモジュール１０４の第一部分を制御して、複数のタッチアイコンを表示するとともに、第二ディスプレイモジュール１０４の第二部分を制御して、バーチャルタッチパッド(たとえば、図８のバーチャルタッチパッドＴＰ)を表示する。
【００６４】
このほか、制御ユニット１１０が、感知信号に従って、キーボード装置１０６が、第二ディスプレイモジュール１０４上の第三位置にあると判断するとき、制御ユニット１１０は、第二ディスプレイモジュール１０４を制御して、手書きインターフェースを表示する。
【００６５】
工程２０８において、制御ユニット１１０が、感知信号に従って、キーボード装置１０６が、携帯用電子機器１００の第一ディスプレイモジュール１０２、および、第二ディスプレイモジュール１０４の外側にあると判断するとき、制御ユニット１１０は、第一ディスプレイモジュール１０２を制御して、第一イメージを表示するとともに、第二ディスプレイモジュール１０４を制御して、第二イメージを表示する。たとえば、図１０に示されるように、ユーザーは、第一ディスプレイモジュール１０２、および、第二ディスプレイモジュール１０４上で異なるアプリケーションを実行することができる。
【００６６】
工程２１０において、制御ユニット１１０は、携帯用電子機器１００の第一ディスプレイモジュール１０２を制御して、ディスプレイイメージ、および、カーソル (たとえば、図８中のカーソルＣＳ)を表示するとともに、制御ユニット１１０が、カーソルＣＳを可動範囲内で制御する。この実施形態において、上述の可動範囲は、第一ディスプレイモジュール１０２のディスプレイイメージの範囲として定義される。つまり、ユーザーが、第二ディスプレイモジュール１０４上でタッチ操作を実行するとき、カーソルＣＳは、第二ディスプレイモジュール１０４の第二ディスプレイスクリーン１０４１に移動しない。
【００６７】
図１４は、本発明の一実施形態による携帯用電子機器１００のディスプレイスクリーンを制御するフローチャートである。注意すべきことは、図１４の工程は、図１３の実施形態で実行されてもよいことである。たとえば、キーボード装置１０６が、第二ディスプレイモジュール１０４上に設置されるとき、つまり、工程２０４での判断結果が「はい」であるとき、それらのステップは、工程２０４の後で実行される。
【００６８】
この実施形態において、図１４に示されるように、工程３０２において、制御ユニット１１０は、携帯用電子機器１００が、第三ディスプレイモジュール (たとえば、外部モニター)に接続されるか否か判断する。携帯用電子機器１００が、第三ディスプレイモジュールに接続されるとき、工程３０４が実行されるとともに、携帯用電子機器１００が第三ディスプレイモジュールに接続されないとき、工程３０８が実行される。
【００６９】
工程３０４において、制御ユニット１１０は、第一ディスプレイモジュール１０２の第一ディスプレイスクリーン１０２１、および、第三ディスプレイモジュールの第三ディスプレイスクリーンを制御して、イメージを共同で表示する。さらに、制御ユニット１１０は、イメージのサイズを獲得することができる。
【００７０】
次に、工程３０６において、制御ユニット１１０は、イメージのサイズに従って、上述の可動範囲を定義する。つまり、可動範囲はイメージの範囲である。これにより、制御ユニット１１０は、カーソルＣＳをこのイメージ内で制限して、カーソルＣＳは、第一ディスプレイスクリーン１０２１、および、第三ディスプレイスクリーンの範囲内だけで移動し、第二ディスプレイスクリーン１０４１に移動しない。
【００７１】
このほか、工程３０８において、可動範囲は、第一ディスプレイモジュール１０２の第一ディスプレイスクリーン１０２１の範囲だけである。これにより、制御ユニット１１０は、カーソルＣＳを、第一ディスプレイモジュール１０２の第一ディスプレイスクリーン１０２１の範囲で制限する。
【００７２】
次に、図１５は、本発明の一実施形態によるカーソルＣＳを制御するフローチャートである。注意すべきことは、図１５中の工程は、図１３の実施態様中で実行されてもよいことである。たとえば、それらは、工程２０６の後で実行される。
【００７３】
この実施形態において、図１５に示されるように、工程４０２において、制御ユニット１１０は、第二ディスプレイモジュール１０４上で表示されるバーチャルタッチパッドＴＰが、タッチ入力を受信するか否か判断する。第二ディスプレイモジュール１０４のバーチャルタッチパッドＴＰが、タッチ入力を受信すると判断するとき、工程４０４が実行され、第二ディスプレイモジュール１０４のバーチャルタッチパッドＴＰがタッチ入力を受信しないと判断するとき、本方法は工程４０２に戻る。
【００７４】
工程４０４において、バーチャルタッチパッドＴＰがタッチ入力を受信するとき、制御ユニット１１０は、タッチ入力にしたがって、バーチャルタッチパッドＴＰ上のタッチ入力のタッチ変位を計算する。
【００７５】
次に、工程４０６において、制御ユニット１１０は、タッチ変位にしたがって、カーソルＣＳを制御して、携帯用電子機器１００の第一ディスプレイモジュール１０２の第一ディスプレイスクリーン１０２１上の対応変位で移動する。このほか、注意すべきことは、ユーザーの指がバーチャルタッチパッドＴＰの範囲を超える場合、タッチ変位を計算するとき、指が超越した変位は、制御ユニット１１０によりカウントされないことである。
【００７６】
注意すべきことは、図１３〜図１５で説明される工程が実行される順序は、この実施形態に限定されない。
【００７７】
図１６は、本発明の別の実施形態による携帯用電子機器５００の立体図である。携帯用電子機器５００は、携帯用電子機器１００と同様の構造を有する。これらの二個の装置間の差異は、携帯用電子機器５００が、一ディスプレイモジュール５０２、および、一キーボード装置５０４だけを有することである。ディスプレイモジュール５０２は、第二ディスプレイモジュール１０４に類似し、キーボード装置５０４は、キーボード装置１０６に類似する。携帯用電子機器５００において、制御ユニットを用いて、ディスプレイモジュール５０２を制御する本方法は、前述の実施形態の本方法に類似するので、ここで省略する。
【００７８】
総合すると、本発明は、二個のディスプレイスクリーンを有する携帯用電子機器を提供し、携帯用電子機器は、第一ディスプレイモジュール１０２、第二ディスプレイモジュール１０４、キーボード装置１０６、感知ユニット１０８、および、制御ユニット１１０を有する。本発明のいくつかの実施形態において、感知ユニット１０８は、第二ディスプレイモジュール１０４に相対するキーボード装置１０６の位置を感知して、感知信号を出力する。制御ユニット１１０は、その後、感知信号に従って、第二ディスプレイモジュール１０４のディスプレイイメージを制御する。その結果、キーボード装置１０６が異なる位置に位置するとき、ユーザーに異なる使用モードを提供して、ユーザーの要求に符合させることができる。
【００７９】
いくつかの実施形態において、キーボード装置１０６が、第二ディスプレイモジュール１０４上の第一位置にあるとき、制御ユニット１１０は、第二ディスプレイスクリーン１０４１の上方部分を制御して、第一ディスプレイスクリーン１０２１の延長スクリーンとなる。いくつかの実施形態において、キーボード装置１０６が、第二ディスプレイモジュール１０４上の第二位置にあるとき、制御ユニット１１０は、第二ディスプレイスクリーン１０４１の上方部分を制御して、複数のタッチアイコンを表示するとともに、第二ディスプレイスクリーン１０４１の下方部分を制御して、ユーザーがカーソルＣＳを制御できるバーチャルタッチパッドＴＰを表示する。さらに、いくつかの実施形態において、キーボード装置１０６が、第二ディスプレイモジュール１０４上の第三位置にあるとき、制御ユニット１１０は、第二ディスプレイスクリーン１０４１の下部分を制御して、ユーザーが書いたり、描いたりできる手書きインターフェースを表示する。
【００８０】
開示される実施形態、および、それらの長所はすでに詳細に記述されているが、理解すべきことは、本発明の精神を逸脱しない限り、各種変動、代替、修飾が可能なことである。さらに、本発明の保護範囲は、明細書で記述される特定の実施形態中のプロセス、機器、製造、物質組成、装置、方法、および、工程に制限されず、当業者なら本発明から理解できるように、現行、あるいは、将来発展するプロセス、機器、製造、物質組成、手段、方法、あるいは、工程は、ここで記述される対応する実施形態と、実質上同じ機能を実行する、あるいは、実質上同じ結果を達成できるのであれば、本発明にしたがって使用することができる。よって、本発明の保護範囲は、このようなプロセス、機器、製造、物質組成、手段、方法、工程を含む。このほか、各請求項は、個別の実施形態を構成し、且つ、各種請求項と実施形態の組み合わせも本発明に含まれる。
【符号の説明】
【００８１】
１００  携帯用電子機器
１０２  第一ディスプレイモジュール
１０２１  第一ディスプレイスクリーン
１０４  第二ディスプレイモジュール
１０４１  第二ディスプレイスクリーン
１０４３  ハウジング
１０４Ｓ  内側
１０５  回転軸
１０６  キーボード装置
１０８  感知ユニット
１０８１、１０８２、１０８３  位置検出素子
１１０  制御ユニット
１１２  ストレージデバイス
１１４  スライディングモジュール１１４
１１６  スライディングトラック
１１８  スライディング素子
１１８１  接続部分
１１８３  スライディング部分
１２０  制限構造
１２０２  第一磁石
１２０４  第二磁石
１２２  位置決めアセンブリ
１２２２  第三磁石
１２２４  第四磁石
１２２６  第四磁石
２００  方法
５００  携帯用電子機器
５０２  ディスプレイモジュール
５０４  キーボード装置
Ａ  領域
ＣＳ  カーソル
ＴＰ  バーチャルタッチパッド
【図１】
2020030790.tif 000003
【図２】
2020030790.tif 000004
【図３】
2020030790.tif 000005
【図４】
2020030790.tif 000006
【図５】
2020030790.tif 000007
【図６】
2020030790.tif 000008
【図７】
2020030790.tif 000009
【図８】
2020030790.tif 000010
【図９】
2020030790.tif 000011
【図１０】
2020030790.tif 000012
【図１１】
2020030790.tif 000013
【図１２】
2020030790.tif 000014
【図１３】
2020030790.tif 000015
【図１４】
2020030790.tif 000016
【図１５】
2020030790.tif 000017
【図１６】
2020030790.tif 000018